(57)【要約】      （修正有）【課題】二次的汚染を回避できる医療廃棄物の処理設備及びその方法を提供すること。【解決手段】処理設備における予め真空抽出する場合の二次汚染を避ける原則において、密閉形態の内腔体２と気体収容室２７及び外腔体４を企画、設計することによって、内腔体及び気体収容室を接続して別々に真空抽出を行い、適時に対流循環させて、内腔体２の医療廃棄物に対して高温高圧破砕を行うことによって、気体収容室２７の気体を全面的に滅菌して汚染を回避する。内腔体２の中に異なる破砕機能を持つ二組のカッター３１，３２を設けて、廃棄物を十分に破砕する。又、内腔体２、外腔体４を組み付ける固定台座１に、異なる傾斜方位を行える昇降移動ユニット８を設け、医療廃棄物の滅菌と同時に、異なる傾斜方位の移動によって、往復移動を行わせ、確実に全面的に破砕する。【選択図】図１
2008054841.tif 000002
【特許請求の範囲】
【請求項１】
医療廃棄物の処理設備であって、
固定台座と、内腔体と、破砕伝動ユニットと、外腔体と、空気抽出システムと、蒸気システムと、冷却システムと、を含み、
前記固定台座は、駆動ユニットと、内腔体を包む外腔体を安定して支持するための位置決め装置と、を備え、
前記内腔体は、第一収容室と、第二収容室と、気体収容室とに分けられ、
前記第一収容室と第二収容室の間には、破砕伝動ユニットが設けられ、且つ気体収容室に連通するバルブと、一端に設けた開口及び開口を密封しうる内カバー体と、を含み、
第二収容室には、内カバー体のもう一つの方位に対応する回転軸を備え、
前記回転軸と固定台座の駆動ユニットは連結していて、
前記破砕伝動ユニットは、カッターミルと、各カッターを回転させる動力ユニットと、を含み、
前記カッターミルは、複数のカッターを備え、一つ一つのカッターが隣り合わせのカッターと交差して配列され、一つ一つのカッターがすべて互いに隣り合わせのカッターと挟み合うことができ、
前記外腔体は、固定台座において組み立て位置決めされ、その一端に開口及び開口を密封しうる外カバー体を設けてあり、
前記空気抽出システムは、気体収容室の中の空気を所要の減圧、又は真空状態になるまで抽出し、且つ内腔体の空気を気体収容室へ抽出して所要の減圧、又は真空状態にすることが可能であり、
前記蒸気システムは、内腔体と連結し、内腔体において一定の真空度を達成したとき、起動して蒸気を生じさせ、蒸気を内腔体へ導入して所要の温度と圧力を与え、
前記冷却システムは、内腔体の外表面又は気体収容室の外表面に設置され、内腔体を冷却させて熱交換処理を行うためのものである、ことを特徴とする、
医療廃棄物の処理設備。
【請求項２】
更に昇降移動ユニットを含み、前記昇降移動ユニットは、固定台座の両端と当接して位置決めされ、その上には第一支持装置及び第二支持装置が枢接され、前記第一支持装置は固定台座を支えて片方へ傾斜させることができ、一方、前記第二支持装置は第一支持装置を固定台座の移動を阻止する力として、前記固定台座を支えてもう一方の側へ傾斜させることを特徴とする、請求項１に記載の医療廃棄物の処理設備。
【請求項３】
前記カッターミルは、第一収容室において粗破砕を行う破砕カッターミルと、第二収容室において細破砕を行う粉砕カッターミルとに分けることも出来、前記破砕カッターミル及び粉砕カッターミルのカッターは、互いに垂直、又は傾斜角度を呈する位相で配置したことを特徴とする、請求項１に記載の医療廃棄物の処理設備。
【請求項４】
前記外腔体と前記第二収容室の回転軸は、密接に枢接され、前記外腔体の内側には内腔体の外側を支える転動体を備えていることを特徴とする、請求項１に記載の医療廃棄物の処理設備。
【請求項５】
医療廃棄物の処理方法であって、以下の手順を具備することを特徴とする医療廃棄物の処理方法。
(A)外腔体の外カバー体及び内腔体の内カバー体を開き、医療廃棄物を内腔体の第一収容室へ抛り込む。
(B)内腔体の内カバー体及び外腔体の外カバー体を閉じて密封し、空気抽出システムを起動して、気体収容室の内部に対して抽出真空を行い、気体収容室の内部において減圧、又は真空状態を形成する。
(C)空気抽出システムを起動して、内腔体の空気を気体収容室の内部へ抽出し、内腔体の内部において減圧、又は真空状態を形成する。
(D)蒸気システムを起動して、蒸気を先ず内腔体へ導入し、一定の温度及び圧力を施し、内腔体の中の医療廃棄物に対して滅菌処理を行う。
(E)昇降移動ユニットの第一支持装置を起動して上向きに支え、固定台座を外腔体と共に片方へ傾斜させ、第一収容室の中にある医療廃棄物が重量のために破砕伝動ユニットの中に入れる。
(F)固定台座１の駆動ユニットを起動し、内腔体を駆動して運転する。
(G)破砕伝動ユニットを起動し、破砕カッターミル及び粉砕カッターミルによって各カッターを回転させ、且つ内腔体の運転に伴って、医療廃棄物を先ず破砕カッターミルの区域に入れ、医療廃棄物に対して粗破砕処理を行い、次に粉砕カッターミルの区域に進み、粉砕カッターミルによって医療廃棄物に対して細破砕処理を行い、その後、第二収容室へ入る。
(H)第一支持装置を元に戻し、第二支持装置を起動して上向きに支え、固定台座を外腔体と共にもう一方へ傾斜させ、第二収容室の中にある医療廃棄物が破砕伝動ユニットの中に入るようして、二回以上の破砕動作を行って、破砕中の医療廃棄物を第一収容室及び第二収容室の間で往復移動させるると共に、破砕伝動ユニットによって繰り返し破砕動作を行う。
(I)内腔体のバルブを開き、内腔体の中の高温蒸気及び気体収容室の中の空気に対流循環を形成させる。
(J)冷却システムを起動し、且つ破砕伝動ユニットと空気抽出システム及び蒸気システムの作動を停止して、内腔体及び気体収容室の間に対して降温、降圧を行う。
(K)第二支持装置をコントロールして、上向きに傾斜するよう位置決めして、外腔体の外カバー体と内腔体の内カバー体を順番に開いて、破砕済みの医療廃棄物を取り出す。
【発明の詳細な説明】
【技術分野】
【０００１】
本発明は、医療廃棄物の処理設備及びその処理方法に関し、特に医療廃棄物を入れる腔体を利用して、回転、破砕及び往復傾斜の構造を設計し、簡素化したプロセスによって医療廃棄物の滅菌処理を完成する医療廃棄物の処理設備及びその方法に関するものである。
【背景技術】
【０００２】
医療廃棄物の処理設備及びその方法については、本願発明者は以前「機体内での複数カッター軸破砕式医療廃棄物の処理設備及びその操作方法」を研究開発し、西暦２００５年５月１１日付けで米国特許第１１／１２６，３１８号を出願した。
その発明内容は、
処理容器と、二組以上のはさみ式カッター伝動装置と、気体緩衝冷却槽と、空気抽出システムと、蒸気システムと、熱交換器及び冷却循環システムと、処理容器の往復駆動システムと、を含む。
前記処理容器は、医療廃棄物を入れて置く入出荷区域と、破砕後の医療廃棄物を収容する破砕物一時保存区域とに分けられる。
前記二組以上のはさみ式カッター伝動装置は、入出荷区域と破砕物一時保存区域の間に連結設置され、それぞれ医療廃棄物に対して粗破砕、細破砕を行うことのできるはさみ式カッターを備え、且つ各隣り合わせのはさみ式カッターは互いに垂直又は傾斜角度の位相で配置されている。
前記気体緩衝冷却槽は、入出荷区域にある処理容器の外部に覆設且つ密封されている。
前記空気抽出システムは、処理容器及び気体緩衝冷却槽に連結され、気体緩衝冷却槽を所要の真空度まで抽出するためのもの、或いは処理容器内の空気を気体緩衝冷却槽の中に吸い込み、必要な気体循環を行うものである。
前記蒸気システムは、蒸気を処理容器の入出荷区域の中に連結且つ導入する。
前記熱交換器及び冷却循環システムは、処理容器外周の気体緩衝冷却槽の中に装着され、高温滅菌後の処理容器内の廃棄物を冷却させるためのものである。
前記処理容器往復駆動システムは、前記処理容器の機体に装着され、処理容器を回転させるためのものである。
【０００３】
上述した構造によって医療廃棄物処理プロセスを行う場合は、先ず、
気体緩衝冷却槽において予め空気を抽出して局部的真空を形成し、医療廃棄物を処理容器の中に落とし込み、次に処理容器の中の空気を気体緩衝冷却槽の中に吸い取り、処理容器の局部的真空を形成し、更に蒸気を処理容器の中に導入して一定の温度及び圧力下で滅菌を行うと共に、往復揺動式処理容器を起動させ、医療廃棄物が処理容器の中でカッターユニットによって十分破砕及び滅菌されるようにする。一定時間処理した後、緩衝槽の中に予め抽出された気体も完全に滅菌されるまで蒸気を処理容器及び気体緩衝冷却槽の中で往復循環させる。その後、蒸気作動を締め切り、処理容器に対して降温、降圧を行い、最後に処理容器を適当なところへ運び、処理済みの医療廃棄物を取り出して一般廃棄物（ゴミ）の処理方式で後続処理を行うことができる。
以上の如く、上述した医療廃棄物に対して機体内で破砕、滅菌を行う一貫作業によって、従来技術の二次汚染問題を途絶し、効果的で、且つ大幅な所要のスペース及び処理時間を節約することができる。
【０００４】
今回、本願発明者は処理容器の往復駆動システムで処理容器を回転させるときの運転安全性を考慮して、更に一歩進めて固定された外腔体の中に設置された内腔体を一定速度で回転させ、且つ内腔体と破砕伝動ユニットを一体として結合することによって、全面的且つ順調に医療廃棄物を破砕する計画を立て、別途外腔体の固定した箇所に昇降移動ユニットを採用する設計とし、内外腔体を往復傾斜作動させ、医療廃棄物の往復破砕作動を行うだけでなく、出し入れも簡単に操作できるようにした。
【発明の開示】
【発明が解決しようとする課題】
【０００５】
本願発明の目的は、いずれも密閉形態を呈しうる内腔体と、気体収容室と、外腔体と、を備え、内腔体を利用して気体収容室に接続抽出して真空となし、適時に対流循環させ、内腔体において高温、高圧、破砕乃至気体収容室に至るまで全面的滅菌を行い、二次的汚染を避けて実質的な効果を達成できる医療廃棄物の処理設備及びその方法を提供することにある。
【０００６】
本願発明の次の目的は、往復方位で傾斜できる昇降移動ユニットを備え、医療廃棄物に対して滅菌を行うと共に、医療廃棄物を異なる傾斜方向にて移動させ、全面的な往復移動による破砕を施し、徹底的な破砕及び確実に作動する実質的効果を達成できる医療廃棄物の処理設備及びその方法を提供することにある。
【０００７】
本願発明のもう一つの目的は、完全に破砕することのできる破砕伝動ユニットを備え、二組の異なる破砕機能を備え、且つそのカッターは互いに垂直する位相で配置され、医療廃棄物を快速且つ順調に破砕する実質効果を十分達成できる医療廃棄物の処理設備及びその方法を提供することにある。
【課題を解決するための手段】
【０００８】
上述発明の目的を達成できる医療廃棄物処理設備は、固定台座の上に内腔体を内蔵する外腔体を組み付け、前記内腔体には医療廃棄物を入れることができ、且つ内腔体には外腔体へ突き抜けて駆動ユニットに連結された回転軸が備わっているので、外腔体の内部で回転することができる。そして、内腔体と外腔体には、それぞれカバー体を設けて独立密封した収容室を設け、且つ内腔体の外部には気体収容室が設けられ、内腔体と気体収容室の両者には空気抽出システムが連結され、それぞれ内腔体と気体収容室に対して抽出を行って真空とすることができ、且つ内腔体に気体収容室と連通するバルブ及び蒸気システムを設けることによって、内腔体と気体収容室に対して適時に対流循環を生じさせ、高圧高温滅菌処理を行うことができる。前記内腔体は、第一収容室と、第二収容室とに分けられ、そして、第一収容室と第二収容室の間に破砕カッターミル及び粉砕カッターミルを取り付けた破砕伝動ユニットが装着されている。前記破砕伝動ユニットは動力ユニットに接続され、且つ各カッターミルには複数のカッターが設けられ、且つこれらのカッターは、いずれも互いにその隣り合わせの二枚のカッターと交差し、医療廃棄物を全面的に粉砕することができる。尚、内腔体又は気体収容室には冷却システムが装着され、医療廃棄物が全面的に破砕された後、内腔体や気体収容室に対して熱交換性の降温、降圧処理を行い、破砕後の医療廃棄物を完全無菌性の一般ゴミとして形成し、最後に医療廃棄物を外へ取り出すことができる、
このほか、固定台座の下方に昇降移動ユニットが連設され、一体に結合された外腔体と内腔体を破砕過程において適時に角度を左右に傾斜させ、医療廃棄物を第一収容室と第二収容室の間で往復破砕させると共に、医療廃棄物の滅菌過程においても、同時に完全破砕を達成することができるようにする。
これによって、本願発明は、医療廃棄物に対して機体内で破砕、滅菌を行う一貫作業によって、従来の二次汚染の問題を途絶し、効果的且つ大幅に所要のスペース及び処理時間を節約することができる。
【０００９】
すなわち、本願の第１発明は、医療廃棄物の処理設備であって、固定台座と、内腔体と、破砕伝動ユニットと、外腔体と、空気抽出システムと、蒸気システムと、冷却システムと、を含み、前記固定台座は、駆動ユニットと、内腔体を包む外腔体を安定して支持するための位置決め装置と、を備え、前記内腔体は、第一収容室と、第二収容室と、気体収容室とに分けられ、前記第一収容室と第二収容室の間には、破砕伝動ユニットが設けられ、且つ気体収容室に連通するバルブと、一端に設けた開口及び開口を密封しうる内カバー体と、を含み、第二収容室には、内カバー体のもう一つの方位に対応する回転軸を備え、前記回転軸と固定台座の駆動ユニットは連結していて、前記破砕伝動ユニットは、カッターミルと、各カッターを回転させる動力ユニットと、を含み、前記カッターミルは、複数のカッターを備え、一つ一つのカッターが隣り合わせのカッターと交差して配列され、一つ一つのカッターがすべて互いに隣り合わせのカッターと挟み合うことができ、前記外腔体は、固定台座において組み立て位置決めされ、その一端に開口及び開口を密封しうる外カバー体を設けてあり、前記空気抽出システムは、気体収容室の中の空気を所要の減圧、又は真空状態になるまで抽出し、且つ内腔体の空気を気体収容室へ抽出して所要の減圧、又は真空状態にすることが可能であり、前記蒸気システムは、内腔体と連結し、内腔体において一定の真空度を達成したとき、起動して蒸気を生じさせ、蒸気を内腔体へ導入して所要の温度と圧力を与え、前記冷却システムは、内腔体の外表面又は気体収容室の外表面に設置され、内腔体を冷却させて熱交換処理を行うためのものである、ことを特徴とする、医療廃棄物の処理設備を提供する。
本願の第２発明は、更に昇降移動ユニットを含み、前記昇降移動ユニットは、固定台座の両端と当接して位置決めされ、その上には第一支持装置及び第二支持装置が枢接され、前記第一支持装置は固定台座を支えて片方へ傾斜させることができ、一方、前記第二支持装置は第一支持装置を固定台座の移動を阻止する力として、前記固定台座を支えてもう一方の側へ傾斜させることを特徴とする、前記第１発明に記載の医療廃棄物の処理設備を提供する。
本願の第３発明は、前記カッターミルは、第一収容室において粗破砕を行う破砕カッターミルと、第二収容室において細破砕を行う粉砕カッターミルとに分けることも出来、前記破砕カッターミル及び粉砕カッターミルのカッターは、互いに垂直、又は傾斜角度を呈する位相で配置したことを特徴とする、前記第１発明に記載の医療廃棄物の処理設備を提供する。
本願の第４発明は、前記外腔体と前記第二収容室の回転軸は、密接に枢接され、前記外腔体の内側には内腔体の外側を支える転動体を備えていることを特徴とする、前記第１発明に記載の医療廃棄物の処理設備を提供する。
本願の第５発明は、医療廃棄物の処理方法であって、以下の手順を具備することを特徴とする医療廃棄物の処理方法。
(A)外腔体の外カバー体及び内腔体の内カバー体を開き、医療廃棄物を内腔体の第一収容室へ抛り込む。
(B)内腔体の内カバー体及び外腔体の外カバー体を閉じて密封し、空気抽出システムを起動して、気体収容室の内部に対して抽出真空を行い、気体収容室の内部において減圧、又は真空状態を形成する。
(C)空気抽出システムを起動して、内腔体の空気を気体収容室の内部へ抽出し、内腔体の内部において減圧、又は真空状態を形成する。
(D)蒸気システムを起動して、蒸気を先ず内腔体へ導入し、一定の温度及び圧力を施し、内腔体の中の医療廃棄物に対して滅菌処理を行う。
(E)昇降移動ユニットの第一支持装置を起動して上向きに支え、固定台座を外腔体と共に片方へ傾斜させ、第一収容室の中にある医療廃棄物が重量のために破砕伝動ユニットの中に入れる。
(F)固定台座１の駆動ユニットを起動し、内腔体を駆動して運転する。
(G)破砕伝動ユニットを起動し、破砕カッターミル及び粉砕カッターミルによって各カッターを回転させ、且つ内腔体の運転に伴って、医療廃棄物を先ず破砕カッターミルの区域に入れ、医療廃棄物に対して粗破砕処理を行い、次に粉砕カッターミルの区域に進み、粉砕カッターミルによって医療廃棄物に対して細破砕処理を行い、その後、第二収容室へ入る。
(H)第一支持装置を元に戻し、第二支持装置を起動して上向きに支え、固定台座を外腔体と共にもう一方へ傾斜させ、第二収容室の中にある医療廃棄物が破砕伝動ユニットの中に入るようして、二回以上の破砕動作を行って、破砕中の医療廃棄物を第一収容室及び第二収容室の間で往復移動させるると共に、破砕伝動ユニットによって繰り返し破砕動作を行う。
(I)内腔体のバルブを開き、内腔体の中の高温蒸気及び気体収容室の中の空気に対流循環を形成させる。
(J)冷却システムを起動し、且つ破砕伝動ユニットと空気抽出システム及び蒸気システムの作動を停止して、内腔体及び気体収容室の間に対して降温、降圧を行う。
(K)第二支持装置をコントロールして、上向きに傾斜するよう位置決めして、外腔体の外カバー体と内腔体の内カバー体を順番に開いて、破砕済みの医療廃棄物を取り出す。
【発明の効果】
【００１０】
本願発明に係る医療廃棄物の処理設備及びその処理方法は、下記のような長所がある。
（１）本願発明では、完全に密閉且つ独立回転できる方式の内腔体２を設計し、内腔体２の外側も又完全に密閉されうる外腔体４によって全体的に包み込み、且つ内腔体２及び気体収容室２７は接続されて、何れも独立して真空抽出することができ、内腔体２において高温、高圧滅菌及び破砕を行った後、気体収容室２７と共に対流循環滅菌、冷却を行い、内腔体２及び気体収容室２７を完全無菌となし、二次汚染を防止する実質的効果を達成することもできる。
（２）本願発明では、医療廃棄物を先ず粗破砕し次に細破砕する二組のカッターミルを備えた破砕伝動ユニット３を設計し、前記破砕カッターミル３１及び前記粉砕カッターミル３２のカッターは、互いに垂直又は傾斜角度を呈する位相で配置され、注射針、メス、注射筒、ゴム管又は人体の組織片などの医療廃棄物にかかわらず、すべて分類選別を行う必要がなく、十分に破砕し、且つ一層快速に作動できる実質的効果をもたらすことができる。
（３）本願発明では、左右に傾斜できる昇降移動ユニット８を設計し、医療廃棄物の滅菌を行うと同時に、医療廃棄物を異なる傾斜方向に移動させ、全面的に往復移動の破砕を施し、徹底的破砕及び確実な作動による実質的効果を達成できる。
（４）本願発明では、直接内腔体、外腔体において真空抽出、蒸気、破砕、循環滅菌乃至冷却に至るまでの一貫作業を完成し、有効に無菌且つ二次汚染のない利用価値を達成できる。
【発明を実施するための最良の形態】
【００１１】
本願発明は、固定台座１と、内腔体２と、破砕伝動ユニット３と、外腔体４と、空気抽出システム５と、蒸気システム６と、冷却システム７と、昇降移動ユニット８と、を含む。
前記固定台座１は、内腔体２及び外腔体４を安定して支持するためで、駆動ユニット１１と、駆動ユニット１１を内腔体２に連結するための位置決め装置１２と、を備える。
前記内腔体２は、第一収容室２１と第二収容室２２とに分けられ、この両者の間に破砕伝動ユニット３を設け、第一収容室２１は医療廃棄物を入れるためで、且つ気体収容室２７に連通するバルブ２３を備え、一端に開口２４及び開口２４を密封できる内カバー体２５を設けてある、第二収容室２２は、破砕済みの医療廃棄物を保存する一時保存区域であり、第二収容室２２の内カバー体２５の別の方位に回転軸２６を設け、この回転軸２６は固定台座１の駆動ユニット１１と連結し、駆動ユニット１１が内腔体２全体を駆動して回転させるようにしてある。
前記破砕伝動ユニット３は、医療廃棄物の破砕作業を行うためのもので、カッターミルと、動力ユニット３３と、を含む。
前記カッターミルは、複数セットのカッターを等距離に設け、一つ一つのカッターは隣り合わせのカッターと交差して配列され、何れも互いにその隣り合わせの二枚のカッターと交わり、且つ前記カッターミルは、第一収容室２１にある破砕カッターミル３１のカッターと、第二収容室２１にある粉砕カッターミル３２のカッターとに分けることができ、しかも破砕カッターミル３１及び粉砕カッターミル３２のカッターは、互いに垂直又は傾斜角度の位相を呈し、医療廃棄物の全面的破砕を行うことができる。
前記動力ユニット３３は、各破砕カッターミル３１の破砕カッター及び粉砕カッターミル３２の粉砕カッターを駆動して回転させ、各破砕カッターミル３１及び粉砕カッターミル３２のカッターによって医療廃棄物を破砕させることができる。
前記外腔体４は、固定台座１の位置決め装置１２によって位置決めされ、内腔体２の外部を全面的に覆設密封し、外腔体４の内側には、内腔体２の外側を支持する転動体４１を備え、一端には開口４２及び開口４２を閉鎖することのできる外カバー体４３を設け、別の一端は内腔体２の回転軸２６と密接に枢接されている。
前記空気抽出システム５は、気体収容室２７の空気を所要の減圧状態又は真空状態になるまで抽出し、且つ内腔体２の空気を空気抽出システム５によって気体収容室２７へ抽出し、減圧状態又は真空状態を作る。
前記蒸気システム６は、内腔体２と連結し、内腔体２において一定の真空度を達成すると、起動して蒸気を生じ、蒸気を内腔体２へ導入し、所要の温度及び圧力を与え、医療廃棄物の滅菌処理を行う。
前記冷却システム７は、冷却部品を内腔体２の外表面又は気体収容室の外表面に設置し、内腔体２を冷却させて熱交換処理を行うためのものである。
前記昇降移動ユニット８は、固定台座１の両端に当接して位置決めされ、その上には第一支持装置８１及び第二支持装置８２が枢接され、前記第一支持装置８１は更に第二支持装置８２を固定台座１の移動を阻止する力としている。
一方、前記第二支持装置８２は第一支持装置８１を固定台座１の移動を阻止する力として、前記固定台座１を支えてもう一方の側へ傾斜させている。
本願発明に係る医療廃棄物の処理設備の操作方法については、下記の通りである。
(A)外腔体４の外カバー体４３及び内腔体２の内カバー体２５を開き、医療廃棄物を内腔体２の第一収容室２１へ落し込む。
(B)内腔体２の内カバー体２５及び外腔体４の外カバー体４３を閉じて密封し、空気抽出システム５を起動して、気体収容室２７の内部に対して抽出真空を行い、気体収容室２７の内部において減圧又は真空状態を形成する。
(C)空気抽出システム５を起動して、内腔体２の空気を気体収容室２７の内部へ抽出する。
(D)蒸気システム６を起動して、蒸気を先ず内腔体２へ導入し、一定の温度及び圧力を施し、内腔体２の中の医療廃棄物に対して滅菌処理を行う。
(E)昇降移動ユニット８の第一支持装置８１を起動して上向きに支え、固定台座１を外腔体４と共に片方へ傾斜させることによって、第一収容室２１の中にある医療廃棄物が重量のために破砕伝動ユニット３の中に入るようにする。
(F)固定台座１の駆動ユニット１１を起動し、内腔体２を駆動して運転させる、
(G)破砕伝動ユニット３を起動し、破砕カッターミル３１及び粉砕カッターミル３２によって各カッターを回転させ、且つ内腔体２の運転に伴って、医療廃棄物を先ず破砕カッターミル３１の区域に入れ、医療廃棄物に対して粗破砕処理を行う。次に粉砕カッターミル３２の区域に進み、粉砕カッターミル３２によって医療廃棄物に対して細破砕処理を行う、その後、第二収容室２２へ入る。
(H)第一支持装置８１を元に戻し、第二支持装置８２を起動して上向きに支え、固定台座１を外腔体４と共に、もう一方へ傾斜させることによって、第二収容室２２の中にある医療廃棄物が破砕伝動ユニット３の中に入るようして、二回以上の破砕動作を行うと、破砕中の医療廃棄物を第一収容室２１及び第二収容室２２の間で往復移動させることができ、且つ破砕伝動ユニット３によって繰り返し破砕動作を行うことができる。
(I)内腔体２のバルブ２３を開き、内腔体２内部の高温蒸気及び気体収容室２７内部の空気に対流循環を形成させ、且つ内腔体２及び気体収容室２７の中のばい菌を完全に消滅させる。
(J)冷却システム７を起動し、且つ破砕伝動ユニット３と空気抽出システム５及び蒸気システム６の作動を停止して、内腔体２及び気体収容室２７の間に対して降温、降圧を行い、且つ冷、熱空気の対流循環によって内腔体２の圧力を減少し、内腔体２及び気体収容室２７の気圧を一致させる。
(K)第二支持装置８２をコントロールして、上向きに傾斜するよう位置決めすると、外腔体４の外カバー体４３と内腔体２の内カバー体２５を順番に開いて、破砕済みの医療廃棄物を取り出すことができる。
【００１２】
既述した記載は、本発明の実行可能な実施例についての具体的説明であって、本発明はこれらの記載に限定されるものではなく、凡そ本発明の技術的思想を逸脱せずになされる等価の実施、又は変更は、すべて本発明に含まれるものである。
【図面の簡単な説明】
【００１３】
【図１】本願発明に係る医療廃棄物の処理設備及びその方法の斜視略図である。
【図２】前記医療廃棄物の処理設備の左正面の斜視局部断面図である。
【図３】前記医療廃棄物の処理設備の右正面の斜視局部断面図である。
【図４】前記医療廃棄物の処理設備の平面断面図である。
【図５】前記医療廃棄物の処理設備の作動略図（その一）である。
【図６】前記医療廃棄物の処理設備の側面作動略図である。
【図７】前記医療廃棄物の処理設備の作動略図（その二）である。
【図８】前記医療廃棄物の処理設備の作動略図（その三）である。
【図９】前記医療廃棄物の処理設備の破砕伝動ユニットのもう一つの実施略図である。
【符号の説明】
【００１４】
１・・・・・・固定台座
１１・・・・・駆動ユニット
１２・・・・・位置決め装置
２・・・・・・内腔体
２１・・・・・第一収容室
２２・・・・・第二収容室
２３・・・・・バルブ
２４・・・・・開口
２５・・・・・内カバー体
２６・・・・・回転軸
２７・・・・・気体収容室
３・・・・・・破砕伝動ユニット
３１・・・・・破砕カッターミル
３２・・・・・粉砕カッターミル
３３・・・・・動力ユニット
４・・・・・・外腔体
４１・・・・・転動体
４２・・・・・開口
４３・・・・・外カバー体
５・・・・・・空気抽出システム
６・・・・・・蒸気システム
７・・・・・・冷却システム
８・・・・・・昇降移動ユニット
８１・・・・・第一支持装置
８２・・・・・第二支持装置
【図１】
2008054841.tif 000003
【図２】
2008054841.tif 000004
【図３】
2008054841.tif 000005
【図４】
2008054841.tif 000006
【図５】
2008054841.tif 000007
【図６】
2008054841.tif 000008
【図７】
2008054841.tif 000009
【図８】
2008054841.tif 000010
【図９】
2008054841.tif 000011